(57)【要約】【課題】本発明は、バンド締付具による仮止めを可能とする一方、締付時に動作を簡略としつつ、堅固な締付状態を確保し得るバンド締付具を実現することを目的としている。【解決手段】このため、締付具本体に回動レバーを取り付けたバンド締付具において、締付具本体に傾斜面を有する軸受を設け、回動レバーのバンド巻込み軸をカム形状に形成しバンドの厚さより広いバンド挿通孔をバンド巻込み軸に設置し、かつ、回動レバーの回動に従いバンド巻込み軸のカム形状によりバンドを押えこむように構成し、締付具本体の本体底板にバンドの滑り止め用凹凸形状を備える係止孔部を形成するとともに、本体底板上面の少なくとも一部に凸状のバンド滑り止め部を形成し、本体側板外面に曲面部を形成し、締付具本体に回動レバーを係合させる少なくとも１組の係合部を形成し、係合部を締付具本体の本体側板の係合爪部と回動レバーに形成する係合溝部とによって構成した。【選択図】図１
2016217480.tif 000002
【特許請求の範囲】
【請求項１】
バンドの一方を係止しバンド巻込み用の回動レバーを受ける軸受を有する締付具本体に、バンド巻込み軸にバンド挿通孔を設けた回動レバーを取り付けたバンド締付具において、前記締付具本体には前記回動レバーの回動に従って前記バンド巻込み軸が後方上からバンド引張り下方向へ摺動するべく後方上部から前方下部に向かう形状の傾斜面を有する軸受を設け、前記回動レバーの前記バンド巻込み軸をカム形状に形成し、前記回動レバーが開かれた状態で前記バンド挿通孔へ通す際に前記バンドは挿入方向へ鋭角に折返す方向になるようにこのバンドの厚さより広いバンド挿通孔を前記バンド巻込み軸のカム形状先端に向かって設置し、かつ、前記回動レバーの回動に従い前記バンドの固定と前記バンド巻込み軸のカム形状に沿った巻込みが促され、バンド巻込み軸のカム形状先端が前記締付具本体の本体底板上面を通過後にバンド巻込み軸のカム形状と締付具本体の前記軸受の傾斜面とにより前記回動レバーはバンド引張り下方向へ降下し回動レバーの戻りに対抗する位置関係となり前記バンドを押えこむように構成し、前記締付具本体の本体底板に開口させた前記バンドの滑り止め用凹凸形状を備える係止孔部を形成するとともに、前記締付具本体の本体底板上面の少なくとも一部に凸状のバンド滑り止め部を形成し、前記締付具本体の本体側板外面に曲面部を形成し、この締付具本体に前記回動レバーを係合させる少なくとも１組の係合部を形成し、この係合部を、前記締付具本体の本体側板内面に形成する係合爪部と、この係合爪部に係合するように前記回動レバーに形成する係合溝部とによって構成したことを特徴とするバンド締付具。
【請求項２】
前記係止孔部は、端部を平坦に形成した滑り止め用凸部と、この滑り止め用凸部のピッチを同一または変更させて形成した滑り止め用凹部とからなることを特徴とする請求項１に記載のバンド締付具。
【発明の詳細な説明】
【技術分野】
【０００１】
この発明はバンド締付具に係り、特に帯状に形成されたバンドを電柱への取り付けや荷造りに用いる際に、このバンドの堅固な締付状態の確保を図るバンド締付具に関するものである。
【背景技術】
【０００２】
このバンド締付具においては、締付具本体にプラスチック製や金属製のバンド締付用の回動レバーを回動自在に取付け、この回動レバーのバンド巻込み軸にバンド挿通孔を形成し、前記締付具本体に一端を折返し固定したバンドの他端を、締付具本体に対して前記回動レバーを開いた状態で、回動レバー後方から直線的にバンド挿通孔に通して、回動レバーを締付具本体側に回動させて閉じることによりバンドを巻込み、バンドを締め付けるようにしたものは知られている。
【先行技術文献】
【特許文献】
【０００３】
【特許文献１】特許第４３１９１９８号公報
【発明の概要】
【発明が解決しようとする課題】
【０００４】
ところで、従来のバンド締付具においては、回動レバーを閉じるに従い、バンド張力がどんどん増加し、最終締付時に過大な負荷を要する状態となっていた。
このようなバンド締付具を、従来のように、可撓性バンドの固定に使用して締め付けることは可能であったが、伸びのほとんど無いポリエステル製のバンドやステンレスバンド等の締付に使用することができないという不都合があった。
また、前記バンド締付具に取り付けられる回動レバーのバンド挿通孔に通したバンドは、移動が自在な状態のままなので、締付時には前記バンドを片手で固定しながら回動レバーを回す必要があるという不都合があった。
更に、バンド締付具に関しては、ラチェット構造を有する金属製のバンド締付具も開発されている。
この金属製のバンド締付具においては、伸びの無いバンドの締付可能であった。
しかし、金属製のバンド締付具は、構造が複雑であるととともに、製造コストが大となるという不都合があった。
この結果、前記バンド締付具を形成する際には、安価な材料を使用して十分な強度を有する構造を確保し、バンド締付具の使用時の堅固な締付力を発揮し得るバンド締付具が切望されていた。
【０００５】
この発明は、バンド締付具による仮止めを可能とする一方、バンド締付具による締付時に動作を簡略としつつ、堅固な締付状態を確保し得るバンド締付具を実現することを目的とする。
【課題を解決するための手段】
【０００６】
そこで、この発明は、上述不都合を除去するために、バンドの一方を係止しバンド巻込み用の回動レバーを受ける軸受を有する締付具本体に、バンド巻込み軸にバンド挿通孔を設けた回動レバーを取り付けたバンド締付具において、前記締付具本体には前記回動レバーの回動に従って前記バンド巻込み軸が後方上からバンド引張り下方向へ摺動するべく後方上部から前方下部に向かう形状の傾斜面を有する軸受を設け、前記回動レバーの前記バンド巻込み軸をカム形状に形成し、前記回動レバーが開かれた状態で前記バンド挿通孔へ通す際に前記バンドは挿入方向へ鋭角に折返す方向になるようにこのバンドの厚さより広いバンド挿通孔を前記バンド巻込み軸のカム形状先端に向かって設置し、かつ、前記回動レバーの回動に従い前記バンドの固定と前記バンド巻込み軸のカム形状に沿った巻込みが促され、バンド巻込み軸のカム形状先端が前記締付具本体の本体底板上面を通過後にバンド巻込み軸のカム形状と締付具本体の前記軸受の傾斜面とにより前記回動レバーはバンド引張り下方向へ降下し回動レバーの戻りに対抗する位置関係となり前記バンドを押えこむように構成し、前記締付具本体の本体底板に開口させた前記バンドの滑り止め用凹凸形状を備える係止孔部を形成するとともに、前記締付具本体の本体底板上面の少なくとも一部に凸状のバンド滑り止め部を形成し、前記締付具本体の本体側板外面に曲面部を形成し、この締付具本体に前記回動レバーを係合させる少なくとも１組の係合部を形成し、この係合部を、前記締付具本体の本体側板内面に形成する係合爪部と、この係合爪部に係合するように前記回動レバーに形成する係合溝部とによって構成したことを特徴とする。
【発明の効果】
【０００７】
この発明によれば、以下の効果を奏することができる。
（１）このバンド締付具を用いると、伸びのほとんど無いポリエステル製のバンドやステンレスバンド等の締付に際しても、バンド締付具を使用することによって仮止めを行うことができる。
（２）バンド締付具の回動レバーを約半回転させるという簡単な動作で締付と閉止との状況を確保することができる。
（３）バンド締付具の回動レバーによる締付時に、十分なバンドの張力を保持したままで、バンド引張り強度と同等の引張り強度を実現することが可能であり、堅固な締付状態を確保し得る。
【図面の簡単な説明】
【０００８】
【図１】図１はこの発明の実施例１を示すバンド締付具の組立斜視図である。（実施例１）
【図２】図２はバンド締付具の平面図である。（実施例１）
【図３】図３はバンド締付具の背面図である。（実施例１）
【図４】図４は図２のバンド締付具のＡ−Ａ線による断面において、回動レバーが開かれた状態を示す図である。（実施例１）
【図５】図５は図２のバンド締付具のＡ−Ａ線による断面であり、第１のバンド固定方策を示す図である。（実施例１）
【図６】図６は図２のバンド締付具のＡ−Ａ線による断面であり、第２のバンド固定方策を示す図である。（実施例１）
【図７】図７は図２のバンド締付具のＡ−Ａ線による断面であり、第３のバンド固定方策を示す図である。（実施例１）
【図８】図８は図２のバンド締付具のＢ−Ｂ線による断面図である。（実施例１）
【図９】図９はバンド締付具の回動レバーの底面図である。（実施例１）
【図１０】図１０はバンド締付具の締付状態を示す概略斜視図である。（実施例１）
【図１１】図１１はバンド締付具の係止孔部の滑り止め用凸部及び滑り止め用凹部の要部拡大図である。（実施例１）
【図１２】図１２はこの発明の実施例２を示すバンド締付具の係止孔部の滑り止め用凸部及び滑り止め用凹部の要部拡大図である。（実施例２）
【図１３】図１３はバンド締付具の係止孔部滑り止め用凸部及び滑り止め用凹部の他の実施形態を示す要部拡大図である。（実施例２）
【図１４】図１４はバンド締付具の係止孔部滑り止め用凸部及び滑り止め用凹部の他の実施形態を示す要部拡大図である。（実施例２）
【発明を実施するための形態】
【０００９】
以下図面に基づいてこの発明の実施例を詳細に説明する。
【実施例１】
【００１０】
図１〜図１１はこの発明の実施例を示すものである。
図１において、１はバンド締付具である。
このバンド締付具１は、締付具本体２と、バンド巻込み用の回動レバー３とからなる。
そして、バンド締付具１の締付具本体２及び回動レバー３は、例えば軟質プラスチック製材料によって成形される。
１つの使用例を開示すると、前記バンド締付具１は、ポリエステル製材料によって、例えば２０ｍｍ幅タイプの帯状に形成されたバンド４を、図１０に示す如く、電柱５へ取り付ける際に使用される。
【００１１】
前記バンド締付具１の締付具本体２は、本体底板２−１と、この本体底板２−１の対峙する側面部位に形成される一対の本体側板２−２、２−３とを備えている。
【００１２】
また、前記締付具本体２の本体底板２−１は、図１〜図５に示す如く、滑り止め用凹凸形状を備える第１、第２係止孔部６、７を形成する。
そして、第１係止孔部６を、締付具本体２の本体底板２−１の一側（図２において右側）に形成するとともに、第２係止孔部７を、締付具本体２の本体底板２−１の他側（図２において左側）に形成する。
このとき、２組の滑り止め用凹凸形状を備える第１係止孔部６及び対峙する１組の滑り止め用凹凸形状を備える第２係止孔部７とし、図３から明らかなように、第１係止孔部６と第２係止孔部７との形状を相違させている。
なお、第１係止孔部６と第２係止孔部７との形状を同一に形成することも可能である。
更に、前記締付具本体２の本体底板２−１上面の少なくとも一部、例えば、図１及び図４、図５に示す如く、本体底板２−１の他側に形成した前記第２係止孔部７よりも他側において、本体底板２−１上面の中央部位にのみ凸状のバンド滑り止め部８を形成する。
このとき、このバンド滑り止め部８の突出量は、図４及び図５から明らかなように、前記締付具本体２の本体底板２−１上面が本体底板２−１の一側から他側に向かって漸次突出形成させ、この実施例１においては本体底板２−１の突出量にほぼ合致させている。
【００１３】
前記締付具本体２の本体側板２−２、２−３は、図２から明らかなように、中央部分よりも少し一側（図２において右側）に以降した部分を最も突出させ、この突出部位から一側や他側に向かって漸次突出量が減少するように形成する。
そして、前記締付具本体２の本体側板２−２、２−３の一部に、図４及び図５に示す如く、内部空間９を形成するとともに、本体側板２−２、２−３外面に曲面部１０を形成する。
また、前記締付具本体２の本体側板２−２、２−３の内面において、一側には前記回動レバー３を受ける軸受１１を形成する。
このとき、この軸受１１は、後方である一側上部から前方である他側下部に向かう形状の傾斜面１２を有している。
前記締付具本体２の本体側板２−２、２−３の内側には、この締付具本体２に前記回動レバー３を係合させる少なくとも１組、この実施例１においては左右２箇所１組の係合部１３を形成する。
【００１４】
そして、前記回動レバー３にカム形状に形成したバンド巻込み軸１４を設け、このバンド巻込み軸１４の外周部位近傍にバンド挿通孔１５を設ける。
このため、前記バンド４の一方４ａを前記締付具本体２の本体底板２−１に係止させた後に、バンド４を前記電柱５に捲回させ、バンド４の他方４ｂを前記締付具本体２の本体底板２−１の他側から挿入して前記回動レバー３に捲回させる。
また、バンド４の他方４ｂを前記回動レバー３のバンド巻込み軸１４に捲回させた後、前記バンド挿通孔１５を介して、前記回動レバー３内側に挿通させ、バンド４の他方４ｂを前記締付具本体２の本体底板２−１の他側へ指向させる。
このとき、前記回動レバー３が開かれた状態である回動させる前に、前記バンド４の一方を前記締付具本体２の本体底板２−１に係止させた後にバンド４を引っ張ることによって、前記バンド締付具１の仮止めが行われる。
そして、前記回動レバー３を締付方向に回動、つまり、回動レバー３の回動端部を一側から他側へ向かって約半回転だけ回動させることにより、この回動レバー３の回動に従って前記バンド巻込み軸１４が後方上部からバンド引張り下方向へ摺動するべく、前記軸受１１の傾斜面１２によって後方上部から前方下部に向かい、前記バンド締付具１の締付動作が終了する。
【００１５】
また、前記バンド締付具１においては、前記回動レバー３が開かれた状態で前記バンド４を前記バンド挿通孔１５へ通す際に前記バンド４が挿入方向へ鋭角に折返す方向になるように、このバンド４の厚さより広いバンド挿通孔１５を前記バンド巻込み軸１４のカム形状先端に向かって設置している。
つまり、例えばバンド４の厚さを０．５ｍｍとした場合、前記バンド挿通孔１５の間隙寸法を０．８ｍｍとするものである。
しかも、前記回動レバー３の回動に従い前記バンド４の固定と前記バンド巻込み軸１４のカム形状に沿った巻込みが促される。
そして、このバンド巻込み軸１４のカム形状先端が前記締付具本体２の本体底板２−１上面を通過した後に、バンド巻込み軸１４のカム形状と締付具本体２の前記軸受１１の傾斜面１２とにより前記回動レバー３はバンド引張り下方向へ降下し、回動レバー３の戻りに対抗する位置関係となり前記バンド４を押えこむように構成されている。
【００１６】
このため、前記締付具本体２に前記回動レバー３を取り付ける際には、締付具本体２の本体側板２−２、２−３間に回動レバー３の前記バンド巻込み軸１４部分を押し込む。
さすれば、軟質プラスチック製材料によって成形される前記締付具本体２の弾性変形によって、本体側板２−２、２−３間の寸法が少し拡大され、前記回動レバー３の前記バンド巻込み軸１４が本体側板２−２、２−３の前記軸受１１内に入り込む。
この後は、前記締付具本体２の弾性特性によって本体側板２−２、２−３間の寸法が元に戻り、前記バンド巻込み軸１４を回動中心として、締付具本体２に前記回動レバー３が取り付けられる。
【００１７】
前記バンド締付具１において、前記締付具本体２に前記回動レバー３を係合させるための左右２箇所１組の前記係合部１３を、前記締付具本体２の本体側板２−２、２−３の内面に形成する係合爪部１６と、この係合爪部１６に係合するように前記回動レバー３に形成する係合溝部１７とによって構成する。
詳述すれば、前記係合爪部１６は、締付時に前記締付具本体２の左右に位置する本体側板２−２、２−３の内面において、夫々対峙するように突出させた第１、第２係合爪部１６−１、１６−２を形成する。
また、前記係合溝部１７は、締付時に前記回動レバー３の左右に位置する外面において、外側方向に夫々開口し、かつ、前記第１、第２係合爪部１６−１、１６−２に合致する位置に第１、第２係合溝部１７−１、１７−２を形成する。
【００１８】
そして、前記第１、第２係止孔部６、７は、端部を平坦に形成した滑り止め用凸部１８と、この滑り止め用凸部１８のピッチを同一または変更させて形成した滑り止め用凹部１９とからなる。
つまり、前記第１、第２係止孔部６、７を形成する際に、図１１に示す如く、端部を平坦とした滑り止め用凸部１８を形成する一方、この滑り止め用凸部１８のピッチを、例えば同一とすべく前記滑り止め用凹部１９を形成する。
なお、これらの滑り止め用凸部１８及び滑り止め用凹部１９は、図４及び図９に示す如く、前記回動レバー３に形成した前記バンド挿通孔１５にも形成している。
【００１９】
次に作用を説明する。
【００２０】
前記バンド締付具１を用いて、前記電柱５に図示しない防護板等を前記バンド４で固定する場合には、図４に示す如く、前記回動レバー３を開いた状態の前記締付具本体２に前記バンド４の一方４ａを予め固定する。
すなわち、前記電柱５の外周寸法よりも長めにバンド４を切断した後に、このバンド４の一方４ａの端部を前記締付具本体２に予め固定するものである。
前記バンド４の一方４ａの端部の固定方策としては複数あるが、その候補となる固定方策をいくつか説明する。
なお、これから説明する各バンド固定方策による最終締付時には、堅固な締付状態となるため、前記バンド締付具１の前記締付具本体２や前記回動レバー３などに前記バンド４が隙間無く接触、あるいは、バンド４同士が隙間無く接触するものであるが、バンド４の捲回経路を明確に説明するために、敢えて少しの隙間を現出させて開示する。
例えば、第１のバンド固定方策としては、図５に示す如く、前記締付具本体２の本体底板２−１の上面に一側から前記バンド４の一方４ａの端部を差し込み、前記第２係止孔部７を通して前記電柱５側の本体底板２−１の下面に出し、この本体底板２−１の下面から前記第１係止孔部６を通して本体底板２−１の上面に戻し、本体底板２−１の上面から一側に出すという捲回を行う。
また、第２のバンド固定方策としては、図６に示す如く、前記締付具本体２の本体底板２−１の上面に一側から前記バンド４の一方４ａの端部を差し込み、前記第２係止孔部７を通して前記電柱５側の本体底板２−１の下面に出し、この本体底板２−１の下面から前記第１係止孔部６を通して本体底板２−１の上面に戻し、本体底板２−１の上面から一側に出す。
そして、前記バンド４の一方４ａの端部を前記締付具本体２の本体底板２−１の下面を通過させた後に、前記第２係止孔部７を通して本体底板２−１の上面に戻し、本体底板２−１の上面から他側に出すという捲回を行う。
更に、第３のバンド固定方策としては、図７に示す如く、前記締付具本体２の本体底板２−１の上面に一側から前記バンド４の一方４ａの端部を差し込み、前記第２係止孔部７を通して前記電柱５側の本体底板２−１の下面に出し、この本体底板２−１の下面から前記第１係止孔部６を通して本体底板２−１の上面に戻し、本体底板２−１の上面から一側に出す。
そして、前記バンド４の一方４ａの端部を前記締付具本体２の本体底板２−１の下面を通過させた後に、本体底板２−１の下面から他側に出すという捲回を行う。
【００２１】
その後は、前記バンド締付具１の締付具本体２に一方４ａの端部を予め固定した前記バンド４を用いて、前記電柱５に取り付ける防護板等を巻込み、図５及び図６に示す如く、このバンド４の他方４ｂの端部を前記締付具本体２の本体底板２−１の上面に他側から差し込む。
そして、前記回動レバー３の前記バンド巻込み軸１４を捲回した後に、バンド４の他方４ｂの端部を前記回動レバー３の外側から前記バンド挿通孔１５を通して本体底板２−１の上面に戻し、本体底板２−１の上面から他側に指向させる。
この時点で、前記バンド４が平状になろうとする弾性力により、前記回動レバー３には開放状態を維持する方向に力が働いている。
この状態で、前記バンド４のたわみを確認して調整し、このバンド４の他方４ｂの端部側をさらに引っ張り、仮止めを行う。
【００２２】
そして、手を持ち替え、前記回動レバー３の回動側端部を前記締付具本体２の本体底板２−１に接近させるように回動させると、回動レバー３の回動動作に伴って前記バンド巻込み軸１４及び前記バンド挿通孔１５も回動することとなり、増加するバンド経路によって生じる戻り力に対する抵抗を上限とした引張り抵抗値で前記バンド４の巻込みが開始される。
このとき、初期の仮止めの際のバンド４の緩みが大きい場合にはここで巻き取りが進むこととなり、逆に初期の仮止めが十分になされている場合には巻き取りは殆ど進まない。
【００２３】
さらに前記回動レバー３を回動させると、前記バンド挿通孔１５を通過したバンド４が前記バンド巻込み軸１４のカム形状に形成した先端部位によって押さえ込まれる。
このため、バンド４の排出経路が鋭角になり始める頃から、バンド４の戻りに対する抵抗は激増し、バンド４の固定が始まり、以後バンド４はバンド巻込み軸１４に巻き込まれることとなる。
【００２４】
前記回動レバー３を回動させ、前記バンド巻込み軸１４のカム形状の先端部位が前記締付具本体２の本体底板２−１の上面を通過する際には、回動レバー３はバンド巻込み軸１４が上死点となり、以後カム形状により巻き取りは増加しながら、同時にカム形状の先端部位の傾きと、締付具本体２の軸受１１の傾斜面１２に沿って、回動レバー３のバンド巻込み軸１４は前方下部へ摺動して行く。
この動作は、前記バンド４の巻込みを続けながら、バンド４の張力に応じて回動レバー３が前方下部へ摺動して行くことになり、バンド４の張力に応じてバンド巻込み軸１４のカム形状の先端部位と締付具本体２の本体底板２−１の上面との挟み込みの力を増加させている。
【００２５】
最終締付に至るに従い、前記回動レバー３のバンド巻込み軸１４の回動による巻込みによって生じる張力は、回動レバー３の前方下部への摺動により吸収され、下部の挟み込み力とのバランスで直線的には増大しては行かない。
このため、前記回動レバー３の最終係止に強固な力は必要なく、最終的には前記係合部１３によって前記締付具本体２に前記回動レバー３を係合させる。
つまり、前記締付具本体２の本体側板２−２、２−３の内面に形成した係合爪部１６を、前記回動レバー３の回動端部側に形成した係合溝部１７に係合させ、図５及び図６に示す如く、前記回動レバー３を閉止状態とする。
なお、前記バンド４の端部に関して説明すると、図５の第１のバンド固定方策において、バンド４の一方４ａの端部は、前記締付具本体２の本体底板２−１の一側のバンド４の前記電柱５側に位置するとともに、バンド４の他方４ｂの端部は、最終締付前に所定の長さに切断し、前記回動レバー３を閉止状態とした際に、この回動レバー３の内側に位置するようにしている。
また、図６の第２のバンド固定方策においては、前記バンド４の一方４ａの端部は、前記締付具本体２の本体底板２−１の他側のバンド４の前記電柱５側に位置するとともに、バンド４の他方４ｂの端部は、上述した第１のバンド固定方策の場合と同様に、最終締付前に所定の長さに切断し、前記回動レバー３を閉止状態とした際に、この回動レバー３の内側に位置するようにしている。
更に、図７の第３のバンド固定方策においては、前記バンド４の一方４ａの端部は、前記締付具本体２の本体底板２−１の下面かつ他側のバンド４の前記電柱５側に位置するとともに、バンド４の他方４ｂの端部は、上述した第１のバンド固定方策の場合と同様に、最終締付前に所定の長さに切断し、前記回動レバー３を閉止状態とした際に、この回動レバー３の内側に位置するようにしている。
【００２６】
追記すれば、前記バンド締付具１の閉止状態において、何らかの原因で前記バンド４の引張り力が増加した場合に、前記回動レバー３のバンド巻込み軸１４に形成したカム形状先端と前記締付具本体２の軸受１１との構造によって、回動レバー３の戻りに対抗する位置関係となるが、前記係合部１３の係合爪部１６及び係合溝部１７により前記バンド締付具１の閉止状態を堅固に保持している。
【００２７】
これにより、前記バンド締付具１を、前記締付具本体２の本体底板２−１に開口させた前記バンド４の滑り止め用凹凸形状を備える第１、第２係止孔部６、７を形成するとともに、前記締付具本体２の本体底板２−１上面の中央部位に凸状のバンド滑り止め部８を形成し、前記締付具本体２の本体側板２−２、２−３外面に曲面部１０を形成し、この締付具本体２に前記回動レバー３を係合させるための左右２箇所１組の係合部１３を形成し、この係合部１３を、前記締付具本体２の本体側板２−２、２−３内面に形成する係合爪部１６と、この係合爪部１６に係合するように前記回動レバー３に形成する係合溝部１７とによって構成している。
従って、以下の効果を奏することができる。
（１）前記バンド締付具１を用いた際に、伸びのほとんど無いポリエステル製の前記バンド４やステンレスバンド等の締付に際しても、バンド締付具１を使用することによって仮止めを行うことができる。
（２）また、前記バンド締付具１の前記回動レバー３を約半回転させるという簡単な動作で締付と閉止との状況を確保することができ、使い勝手を向上し得る。
（３）更に、前記バンド締付具１の前記回動レバー３による締付時に、十分なバンド４の張力を保持したままで、バンド引張り強度と同等の引張り強度を実現することが可能であり、堅固な締付状態を確保し得る。
【００２８】
また、前記締付具本体２の本体底板２−１上面の中央部位に凸状のバンド滑り止め部８を形成することにより、このバンド滑り止め部８によって前記バンド４を内側方向から外側方向に押圧することができ、バンド４の滑り止めが行われてバンド保持力を良好な状態で維持することができるとともに、前記回動レバー３のガタツキ防止をも果たすことができる。
【００２９】
更に、前記締付具本体２の本体側板２−２、２−３外面に曲面部１０を形成することにより、前記バンド締付具１を用いて、前記電柱５に防護板等を前記バンド４で固定した場合に、バンド締付具１の上部に前記曲面部１０が位置するため、電柱５に登る際の足場となることがなく、実用上有利である。
【００３０】
更にまた、前記締付具本体２に前記回動レバー３を係合させるための係合部１３を、前記締付具本体２の本体側板２−２、２−３内面に形成した係合爪部１６と、この係合爪部１６に係合するように前記回動レバー３に形成した係合溝部１７とによって構成したことにより、回動レバー３が戻されるおそれがなく、前記バンド締付具１の閉止状態を堅固に保持することができる。
また、前記バンド締付具１の構造において、厚みの小なる本体側板２−２、２−３側に係合爪部１６を形成するとともに、厚みの大なる回動レバー３側に係合溝部１７を形成したことによって、前記バンド締付具１を樹脂成形する際の強度向上を図ることができ、強固な破損し難いバンド締付具１を実現することができ、例えば従来の１０ｍｍ幅タイプのバンドのみでなく、２０ｍｍ幅タイプのバンドにも対応でき、バンド締付具１の汎用性を拡大させることができる。
【００３１】
そして、前記第１、第２係止孔部６、７を、端部を平坦に形成した滑り止め用凸部１８と、この滑り止め用凸部１８のピッチを同一とした滑り止め用凹部１９とにより構成したことにより、前記第１、第２係止孔部６、７を通過する前記バンド４に対して、同一ピッチの滑り止め用凸部１８によって均一な滑り止め効果を得ることが可能である。
【実施例２】
【００３２】
図１２はこの発明の実施例２を示すものである。
この実施例２において、上述実施例１のものと同一機能を果たす箇所には、同一符号を付して説明する。
【００３３】
この実施例２の特徴とするところは、前記第１、第２係止孔部６、７を、端部を平坦に形成した滑り止め用凸部１８と、この滑り止め用凸部１８間の滑り止め用凹部１９とにより形成する際に、ピッチなどを相違させる構成とした点にある。
【００３４】
すなわち、係止孔部２１を形成する際に、図１２に示す如く、滑り止め用凸部２２間のピッチは変更せずに、滑り止め用凹部２３を形成する一方、中央部分に位置する滑り止め用凸部２４の幅寸法を小とするものである。
【００３５】
また、このような他の実施形態としては、係止孔部３１を形成する際に、図１３に示す如く、滑り止め用凸部３２間のピッチは変更せずに、滑り止め用凹部３３を形成する一方、両側部分に位置する滑り止め用凸部３４の幅寸法を小とする方策も考えられる。
【００３６】
更に、係止孔部４１を形成する際に、図１４に示す如く、両側部分の滑り止め用凸部４２間のピッチ及び幅寸法は変更せずに、滑り止め用凹部４３を形成する一方、中央部分に位置する滑り止め用凸部４４間のピッチと幅寸法との両方を小とし、滑り止め用凹部４５を形成する方策とすることも可能である。
【００３７】
さすれば、前記係止孔部２１、３１、４１を通過する前記バンドに対して、ピッチや幅寸法を変更した滑り止め用凸部２２、３２、４２、４５によって、特有な滑り止め効果を得ることができ、前記バンド締付具の使用状況に応じた設計変更が可能である。
【００３８】
なお、この発明は上述実施例１及び２に限定されるものではなく、種々の応用改変が可能である。
【００３９】
例えば、この発明の実施例１においては、前記締付具本体に前記回動レバーを係合させるための係合部を、前記締付具本体の本体側板内面に形成した係合爪部と、この係合爪部に係合するように前記回動レバーに形成した係合溝部とによる１組の構成としたが、係合部を構成する左右の係合爪部及び係合溝部の個数を複数組とする特別構成とすることも可能である。
すなわち、この発明の実施例１においては、左右の１個ずつ形成した係合爪部及び係合溝部によって前記係合部を構成したが、左右に形成する係合爪部及び係合溝部の個数を変更するものである。
例えば、左右に夫々２個ずつの係合爪部及び係合溝部を形成して２組で係合部を構成することができるとともに、左側の係合爪部及び係合溝部の個数と右側の係合爪部及び係合溝部の個数とを相違させる構成とすることも可能である。
さすれば、係合部における係合爪部及び係合溝部の組数が増加するように変更されるため、回動レバーが戻されるおそれが全くなく、前記バンド締付具の閉止状態をより一層堅固に保持することができる。
【００４０】
また、この発明の実施例１においては、前記締付具本体の本体底板上面の中央部位に凸状のバンド滑り止め部を形成する構成としたが、このバンド滑り止め部を前記締付具本体の本体底板上面の少なくとも一部に設ける特別構成とすることも可能である。
すなわち、前記締付具本体の本体底板上面にバンド滑り止め部を形成する際に、本体底板上面の全域に設けることが可能であるととも、本体底板上面の本体側板近傍部位にのみ設けること、あるいは、本体底板上面の中央部位と本体側板近傍部位との合計３箇所に設けることなども可能である。
つまり、前記締付具本体の材質や前記バンドの材質、厚さなどを考慮し、使用状況に応じた設計変更を可能とするものである。
さすれば、前記締付具本体の本体底板上面に所定の状態で凸状のバンド滑り止め部を形成することにより、このバンド滑り止め部によって前記バンドを内側方向から外側方向に効果的かつ確実に押圧することができ、バンドの滑り止めが行われてバンド保持力を良好な状態で維持することができ、信頼性の向上に寄与し得る。
【産業上の利用可能性】
【００４１】
本発明は、例えば電柱の周面に、ケーブルや電線管もしくは防護板等を固定したり、広告・街路灯等の支持ブラケットを取付ける際に用いるいわゆる電柱バンド等の各種可撓性バンドを締付固定するためのバンド締付具に利用したり、金属鋼材の荷物の結束用に用いられるバンドや軽量梱包の為に利用されるバンドの締付具として利用可能である。
【符号の説明】
【００４２】
１  バンド締付具
２  締付具本体
３  回動レバー
４  バンド
４ａ  一方
４ｂ  他方
５  電柱
２−１  本体底板
２−２、２−３  一対の本体側板
６、７  第１、第２係止孔部
８  バンド滑り止め部
９  内部空間
１０  曲面部
１１  軸受
１２  傾斜面
１３  係合部
１４  バンド巻込み軸
１５  バンド挿通孔
１６  係合爪部
１６−１、１６−２  第１、第２係合爪部
１７  係合溝部
１７−１、１７−２  第１、第２係合溝部
１８  滑り止め用凸部
１９  滑り止め用凹部
【図１】
2016217480.tif 000003
【図２】
2016217480.tif 000004
【図３】
2016217480.tif 000005
【図４】
2016217480.tif 000006
【図５】
2016217480.tif 000007
【図６】
2016217480.tif 000008
【図７】
2016217480.tif 000009
【図８】
2016217480.tif 000010
【図９】
2016217480.tif 000011
【図１０】
2016217480.tif 000012
【図１１】
2016217480.tif 000013
【図１２】
2016217480.tif 000014
【図１３】
2016217480.tif 000015
【図１４】
2016217480.tif 000016